(57)【要約】【課題】瞬読性及び環境への貢献の度合いの認知性に優れて、環境性能を向上させる運転を容易に行わせることが出来る車両用表示装置を提供する。【解決手段】車両用表示装置２０に設けられて、表示制御部３０に接続された液晶表示装置２６の表示面部２６ａには、環境悪化度合絵図データとしての地球型絵図データを表示する環境影響表示領域２６ｂが設けられている。  表示制御部３０には、燃費値、若しくは二酸化炭素の排出量に応じて地球型絵図データを、選択する地球型絵図選択部４０と、選択された地球型絵図データを、環境への影響度に応じて、環境影響表示領域２６ｂに出力する表示出力部３６とが設けられている。【選択図】図１
2009300412.tif 000002
【特許請求の範囲】
【請求項１】
燃費算出部と、
該燃費算出部で算出される燃費値に基づいて二酸化炭素の排出量を算出するＣＯ２排出量算出部と、
前記燃費算出部で算出される燃費値又は前記ＣＯ２排出量算出部からの二酸化炭素の排出量のランクに応じた環境悪化度合絵図データを複数記憶する絵図記憶部とを表示制御部が備え、
該表示制御部に基づいて、前記燃費算出部からの燃費値又は前記二酸化炭素排出量算出部からの二酸化炭素の排出量に応じて、前記絵図記憶部から環境悪化度合絵図データを択一的に読み取って前記ディスプレイ部に表示することを特徴とする車両用表示装置。
【請求項２】
前記表示制御部は、前記絵図記憶部から読み取った環境悪化度合絵図データの他に、前記燃費算出部で算出された燃費値を前記ディスプレイ部に表示することを特徴とする請求項１記載の車両用表示装置。
【請求項３】
前記表示制御部は、絵図記憶部に記憶されている絵図データが宇宙から見た地球画像であることを特徴とする請求項１及び２に記載の車両用表示装置。
【請求項４】
前記表示制御部は、前記ＣＯ２排出量算出部で変換された二酸化炭素排出量を、相当する森林資源の減少量として換算する森林資源換算部を有して、該森林資源換算部によって換算された森林資源の換算値を前記ディスプレイ部に表示することを特徴とする請求項１〜３のいずれか一項に記載の車両用表示装置。
【請求項５】
前記表示制御部は、前記燃費算出部で計算された燃費値に基づいて燃費を先読みする燃費先読み部が設けられていることを特徴とする請求項１〜４のいずれか一項に記載の車両用表示装置。
【請求項６】
前記環境悪化度合絵図データは、良好な燃費値又は二酸化炭素排出量である場合には、円形画像であり、また良好な燃費値又は二酸化炭素排出量でない場合には、その度合いに応じて一部欠落の度合いを増大している画像であることを特徴とする請求項１〜３に記載の車両用表示装置。
【請求項７】
前記環境悪化度合絵図データは、良好な燃費値又は二酸化炭素排出量である場合には、安全色画像であり、また良好な燃費値又は二酸化炭素排出量でない場合には、その度合いに応じて警告色の度合いを増大している画像であることを特徴とする請求項１〜３に記載の車両用表示装置。
【請求項８】
燃費算出部と、
該燃費算出部で算出される燃費値に基づいて二酸化炭素の排出量を算出するＣＯ２排出量算出部と、
前記燃費算出部で算出される燃費値又は前記ＣＯ２排出量算出部からの二酸化炭素の排出量に応じて表示される環境悪化度合絵図の画像データを複数記憶する絵図記憶部と、
を表示制御部が備え、
前記絵図記憶部にディスプレイ部に表示される環境悪化度合絵図と、該環境悪化度合絵図を覆い隠すための環境悪化度合絵図隠し図との２つの画像データが予め記憶され、
前記表示制御部に基づいて、前記燃費算出部からの燃費値又は前記二酸化炭素排出量算出部からの二酸化炭素の排出量に応じて、前記環境悪化度合絵図と前記環境悪化度合絵図隠し図とを重ね合わせて表示させ、
前記環境悪化度合絵図隠し図によって覆い隠されない前記環境悪化度合絵図の領域の広さによって、前記燃費値又は二酸化炭素の排出量を表示することを特徴とする車両用表示装置。
【発明の詳細な説明】
【技術分野】
【０００１】
本発明は、主に、自動車等、車両に用いられる車両用表示装置で、特に、地球環境への貢献度を一目で視認できる車両用表示装置に関するものである。
【背景技術】
【０００２】
従来、図１２乃至図１４に示すような車両用燃費表示装置１が知られている（例えば、特許文献１等参照）。
【０００３】
まず、構成から説明すると、この車両用燃費表示装置１には、メータ表示装置等からなる表示・入力装置３に、燃費の表示データを送る燃費計測コントローラ２が接続されて設けられている。
【０００４】
この燃費計測コントローラ２には、エンジンコントローラ４から燃料噴射弁５へ送られる燃料噴射量データ６及び車速センサ７から送られる車速データ８が入力されて、これらの燃料噴射量データ６及び車速データ８等を基にして、瞬間燃費及び平均燃費を算出する燃費演算部９等が設けられている。
【０００５】
次に、この従来の車両用燃費表示装置１の作用効果について説明する。
【０００６】
この従来の車両用燃費表示装置１では、図１３に示すようなメータ表示装置としての表示・入力装置３Ａのアナログ指針１１ｂが、エンジン回転数を回動角度を用いて表示する外側に目盛部１０ａを有するタコメータ１０のアナログ指針１０ｂと共用化されている。
【０００７】
そして、切り替えスイッチ１２をＯＮ又はＯＦＦすることにより、内側に目盛部１１ａを有する燃費計１１のアナログ指針１１ｂとして、前記アナログ指針１０ｂが機能して、回動される。
【０００８】
また、図１４に示すような表示・入力装置３Ｂでは、タコメータ１２のアナログ指針１２ｂの下方に、別途、燃費計１３のアナログ燃費指針１３ｂが、回動可能に設けられている。
【０００９】
そして、前記燃費演算部９から送られてくる瞬間燃費及び平均燃費が、前記タコメータ１２で表示されるエンジン回転数とは、独立して、前記アナログ燃費指針１３ｂが回動することにより、指し示す目盛部１３ａの値で表示される。
【特許文献１】特開２００１−１０８５０３（第００２３段落乃至第００５１段落、図１）、
【特許文献２】特開２０００−１３１０９８号公報（第００１７段落乃至００２１段落、図２、図３）
【発明の開示】
【発明が解決しようとする課題】
【００１０】
しかしながら、図１３のように構成された従来の車両用表示装置の表示・入力装置３Ａでは、タコメータ１０のアナログ指針１０ｂと共用化されたアナログ指針１１ｂによって燃費量を表示する為、前記タコメータ１０を使用している状態では、燃費計１１のアナログ指針１１ｂとして使用出来ず、また、燃費計１１のとして使用している状態では、タコメータ１０のアナログ指針１０ｂとして使用できないといった問題があった。
【００１１】
更に、図１４に示すようなアナログ燃費指針１３ｂを別途設けるものでは、アナログ燃費指針１３ｂ及びこのアナログ燃費指針１３ｂを回動させるムーブメント等を設けなければならないので、部品点数が増大してしまうと言った問題もあった。
【００１２】
そして、図１５に示すように、前記燃費計１１又は１３に変えて、デジタル表示を行うデジタル燃費計１４を表示・入力装置として用いることも考えられる。
【００１３】
しかしながら、このようなデジタル燃費計１４では、デジタル表示された燃費量の数字１５を読み、乗員がこの数字は、燃費が良好な値であるか否かを瞬時に判断しなければならず、瞬読性に優れてはいるものの、環境への貢献度がどの程度なのかを見極めることは困難であった。
【００１４】
更に、この燃費量の数字１５を見ただけでは、燃費の良悪は判断出来るものの、車両の二酸化炭素（ＣＯ２）排出量に応じた地球環境への負荷度合いを直接、乗員が認識する事が出来ず、運転状態の良悪の指標となりにくいといった問題があった。
【００１５】
そこで、この発明は、瞬読性及び環境への貢献の度合いの認知性に優れて、環境性能を向上させる運転を容易に行わせることが出来る車両用表示装置を提供することを課題としている。
【課題を解決するための手段】
【００１６】
上記目的を達成するために、請求項１に記載された発明は、燃費算出部と、該燃費算出部で算出される燃費値に基づいて二酸化炭素の排出量を算出するＣＯ２排出量算出部と、前記燃費算出部で算出される燃費値又は前記ＣＯ２排出量算出部からの二酸化炭素の排出量のランクに応じた環境悪化度合絵図データを複数記憶する絵図記憶部とを表示制御部が備え、該表示制御部に基づいて、前記燃費算出部からの燃費値又は前記二酸化炭素排出量算出部からの二酸化炭素の排出量に応じて、前記絵図記憶部から環境悪化度合絵図データを択一的に読み取って前記ディスプレイ部に表示することを特徴としている。
【００１７】
また、請求項２に記載されたものは、前記表示制御部は、前記絵図記憶部から読み取った環境悪化度合絵図データの他に、前記燃費算出部で算出された燃費値を前記ディスプレイ部に表示する請求項１記載の車両用表示装置を特徴としている。
【００１８】
更に、請求項３に記載されたものは、前記表示制御部は、絵図記憶部に記憶されている絵図データが宇宙から見た地球画像である請求項１及び２に記載の車両用表示装置を特徴としている。
【００１９】
また、請求項４に記載されたものは、前記表示制御部は、前記ＣＯ２排出量算出部で変換された二酸化炭素排出量を、相当する森林資源の減少量として換算する森林資源換算部を有して、該森林資源換算部によって換算された森林資源の換算値を前記ディスプレイ部に表示する請求項１〜３のいずれか一項に記載の車両用表示装置を特徴としている。
【００２０】
更に、請求項５に記載されたものは、前記表示制御部は、前記燃費算出部で計算された燃費値に基づいて燃費を先読みする燃費先読み部が設けられている請求項１〜４のいずれか一項に記載の車両用表示装置を特徴としている。
【００２１】
また、請求項６に記載されたものは、前記環境悪化度合絵図データは、良好な燃費値又は二酸化炭素排出量である場合には、円形画像であり、また良好な燃費値又は二酸化炭素排出量でない場合には、その度合いに応じて一部欠落の度合いを増大している画像である請求項１〜３に記載の車両用表示装置を特徴としている。
【００２２】
そして、請求項７に記載されたものは、前記環境悪化度合絵図データは、良好な燃費値又は二酸化炭素排出量である場合には、安全色画像であり、また良好な燃費値又は二酸化炭素排出量でない場合には、その度合いに応じて警告色の度合いを増大している画像である請求項１〜３に記載の車両用表示装置を特徴としている。
【００２３】
更に、請求項８に記載されたものは、燃費算出部と、該燃費算出部で算出される燃費値に基づいて二酸化炭素の排出量を算出するＣＯ２排出量算出部と、前記燃費算出部で算出される燃費値又は前記ＣＯ２排出量算出部からの二酸化炭素の排出量に応じて表示される環境悪化度合絵図の画像データを複数記憶する絵図記憶部と、を表示制御部が備え、前記絵図記憶部にディスプレイ部に表示される環境悪化度合絵図と、該環境悪化度合絵図を覆い隠すための環境悪化度合絵図隠し図との２つの画像データが予め記憶され、前記表示制御部に基づいて、前記燃費算出部からの燃費値又は前記二酸化炭素排出量算出部からの二酸化炭素の排出量に応じて、前記環境悪化度合絵図と前記環境悪化度合絵図隠し図とを重ね合わせて表示させ、前記環境悪化度合絵図隠し図によって覆い隠されない前記環境悪化度合絵図の領域の広さによって、前記燃費値又は二酸化炭素の排出量を表示することを特徴とする車両用表示装置を特徴としている。
【発明の効果】
【００２４】
このように構成された請求項１記載の発明は、前記表示制御部によって、前記車両の燃費値、若しくは二酸化炭素の排出量に応じて、前記環境悪化度合絵図データが複数記憶された絵図記憶部から、択一的に読み取られて、前記ディスプレイ部に出力されて表示される。
【００２５】
例えば、環境への影響が大きい場合の環境悪化度合絵図データとしての地球型絵図の表示データと、小さい場合の環境悪化度合絵図データとしての地球型絵図の表示データとを段階的に分けて表示して、運転状況に応じて、将来の地球の状態がどのようになるか示唆するようにしてもよい。
【００２６】
ここで、環境悪化度合絵図データの画像表示は、前記燃費算出部で算出される燃費値又は前記ＣＯ２排出量算出部からの二酸化炭素の排出量に応じた画像表示である。
【００２７】
よって、運転者は、一目で、現在の運転状態が環境に優しいか否かが分かる。
その結果、運転者は環境に優しい運転を心がけられるようになる。
なお、ここにおける環境悪化度合絵図データとは、宇宙から見た地球の画像、氷山の画像、森林の画像、氷河の画像等の気温上昇によって、まともに影響される環境要素を画像化したものをいう。
【００２８】
このため、乗員は、該ディスプレイ部に表示された環境悪化度合絵図データを見るだけで、瞬読出来、地球環境への負荷度合いが、容易に認識できる。
【００２９】
従って、運転状態の良悪の指標として用いることにより、運転操作を環境に配慮したものとなるように最適化できる。
【００３０】
しかも、環境への貢献度が瞬読出来る領域を、燃費値等を表示する為のディスプレイ部に設定すれば、部品点数の増大を抑制出来る。
【００３１】
このように、乗員に環境への貢献度を認識させる該ディスプレイ部を別途設ける必要が無いと共に、従来のタコメータのように、別のアナログ指針等の表示装置を切換えて用いる必要も無い。
【００３２】
従って、配置レイアウトの自由度を向上させることができると共に、他の表示機能を同時に発揮させることが出来、従来のように、何れか一方の機能のみしか用いることがでないものに比して、使用利便性が良好である。
【００３３】
また、前記絵図記憶部に、複数記憶された絵図データが、前記表示制御部により、前記燃費算出部で計算された燃費値に基づいて選択されて、前記表示出力部から、前記ディスプレイ部へ出力される。
【００３４】
前記ディスプレイ部では、環境への負荷や貢献度に応じた複数の異なる種類の環境悪化度合絵図のうち、運転状況によって対応する環境悪化度合絵図が、選択されて、表示される。
【００３５】
このため、従来のようなデジタル表示による数字表示に比して、環境への貢献度を直感的に把握しやすく、また、アナログ表示部によるアナログ指針で示された目盛り表示に比して、瞬読性に優れている。
【００３６】
該燃費算出部で計算された燃費値は、例えば、前記ディスプレイ部等に出力される燃費表示に用いる燃費値データと、共用できる。
このため、別途、燃費値を計算する演算回路や、燃費検出センサ等を設ける必要が無く、更に、構成を簡略なものとすることができる。
【００３７】
前記表示制御部に入力された燃料噴射量データに基づいて、前記燃費算出部で計算された燃費値が、前記ＣＯ２排出量算出部で、二酸化炭素排出量に変換されて、ＣＯ２排出量値が、得られるように構成することもできる。
【００３８】
そして、該ＣＯ２排出量値に基づいて、前記ディスプレイ部に対して、前記表示出力部から、前記環境悪化度合絵図データが出力される。
【００３９】
従って、別途、ＣＯ２の排出量を検出するＣＯ２センサを設ける必要が無いので、製造コストの増大を抑制出来る。
【００４０】
また、請求項２に記載されたものは、環境悪化度合絵図データの画像表示の他に燃費値の並列表示により、運転者は環境に優しい運転の度合いを数値でも得られ、より環境に優しい運転を心がけることが出来る。
【００４１】
更に、請求項３に記載されたものは、環境悪化度合絵図データの画像表示を宇宙から見た地球画像にすることによって、運転者は環境に優しい運転がより身近になり、より環境に優しい運転を心がけることが出来る。
【００４２】
また、請求項４に記載されたものは、前記表示制御部に設けられた森林資源換算部が、前記ＣＯ２排出量算出部で、変換されたＣＯ２排出量値を、相当する森林資源の減少量として換算する。
【００４３】
このため、乗員は、運転状況に対応する森林資源の減少量を一目で把握できるので、例えば、二酸化炭素排出体積量が、数値で表示される場合に比して、森林の面積が減少する面積量が表示される方が、現実的に捉えやすい。
【００４４】
従って、更に、ＣＯ２排出量の増大を抑制する運転を心がける等、効果的に車両の運転を最適化させることが出来る。
【００４５】
また、請求項５に記載されたものは、前記表示制御部に設けられた燃費先読み部によって、前記燃費算出部で計算された燃費値に基づいて、燃費が先読みされる。
【００４６】
このため、現在の運転状況から、数秒後のＣＯ２排出量が予測出来るため、更に、ＣＯ２排出量の増大を抑制する運転を心がける等、効果的に車両の運転を最適化させることが出来る。
【００４７】
そして、請求項６に記載されたものは、前記表示制御部のＣＯ２排出量算出部では、接続されたＣＯ２センサからのＣＯ２検出データに基づいて、二酸化炭素排出量が算出される。
【００４８】
前記地球型絵図記憶部には、予め設定されたＣＯ２排出量に対応した地球型絵図の表示データが記憶されている。
【００４９】
前記地球型絵図選択部では、前記ＣＯ２排出量算出部で計算されたＣＯ２排出量に基づいて、前記地球型絵図記憶部内の地球型絵図の表示データが選択される。
【００５０】
そして、選択された前記地球型絵図記憶部内の地球型絵図の表示データが、前記表示出力部によって、前記ディスプレイ部の環境影響負荷表示部に、出力されて表示される。
【００５１】
このため、現在の運転状況によって、排出されているＣＯ２排出量が、瞬読出来るため、更に、ＣＯ２排出量の増大を抑制する運転を心がける等、効果的に車両の運転を最適化させることが出来る。
【００５２】
また、請求項７に記載されたものは、前記表示制御部に設けられた平均ＣＯ２排出量予測部によって、ＣＯ２排出量算出部で算出された二酸化炭素排出量に基づいて、平均二酸化炭素排出量が予測演算される。
【００５３】
このため、車両の運転を最適化させる為に必要となる平均二酸化炭素排出量に基づいて、前記地球型絵図記憶部内の地球型絵図の表示データが、前記地球型絵図選択部によって選択されて、前記ディスプレイ部に表示される。
【００５４】
従って、乗員は、恒常的な二酸化炭素排出量の増大を抑制するように、心がけた運転を容易に行えて、運転の最適化を図れる。
【００５５】
更に、前記表示制御部に瞬間ＣＯ２排出量演算部を設けることで、前記ＣＯ２排出量算出部で算出された二酸化炭素排出量に基づいた瞬間二酸化炭素排出量が予測演算される。
【００５６】
このため、車両の運転を最適化させる為に必要となる瞬間二酸化炭素排出量に基づいて、前記地球型絵図記憶部内の絵図データが、前記地球型絵図選択部によって選択されて、前記ディスプレイ部に表示される。
【００５７】
したがって、乗員は、加速時等、瞬間的な二酸化炭素排出量の増大を抑制するように、心がけた運転を容易に行えて、運転の最適化を図れる。
【００５８】
そして、良好な燃費若しくは二酸化炭素の排出量値である場合には、円形の絵図データが、前記表示出力部から、前記ディスプレイ装置へ出力されると共に、燃費若しくは二酸化炭素の排出量値が悪化した場合には、一部欠落した円形を呈する絵図データが、前記表示出力部から、前記ディスプレイ装置へ出力されるようにしてもよい。
【００５９】
このため、燃費若しくは二酸化炭素の排出が、地球に与える影響を前記ディスプレイ装置の環境影響表示領域に、表示される表示データの形状の変化から、直感的に認識出来て、乗員に、運転の最適化を促すことができる。
【００６０】
更に、良好な燃費若しくは二酸化炭素の排出量値である場合には、表示データが安全色を呈して、前記表示出力部から、前記ディスプレイ装置へ出力されると共に、燃費若しくは二酸化炭素の排出量値が悪化した場合には、表示データが警告色の度合いを増して変更されて、前記表示出力部から、前記ディスプレイ装置へ出力されるようにしてもよい。
【００６１】
ここで、安全色及び、警告色としては、青色及び赤色等の相違する色彩のみならず、青色等単色の濃淡も、色彩の変化として採用してもよい。
【００６２】
このため、燃費若しくは二酸化炭素の排出が、地球に与える影響を前記ディスプレイ装置の環境影響表示領域に、表示される表示データの色彩の変化から、直感的に認識出来て、乗員に、運転の最適化を促すことができる。
【００６３】
そして、請求項８に記載されたものは、燃費算出部からの燃費値又は二酸化炭素排出量算出部からの二酸化炭素の排出量に応じて、環境悪化度合絵図と環境悪化度合絵図隠し図とを重ね合わせて表示させるので、必要とされる画像データが、ディスプレイ部に表示される環境悪化度合絵図と、この環境悪化度合絵図を覆い隠すための環境悪化度合絵図隠し図との２つの画像データだけであり、環境悪化度合絵図データを絵図記憶部に複数記憶させて、燃費値又は二酸化炭素の排出量に応じた環境悪化度合絵図データを択一的に読み取ってディスプレイ部に表示させる請求項１の発明に比べて、画像データを少なくでき、絵図記憶部としてのメモリの使用量が節約でき、結果として車両用表示装置の製造コストの増大を抑制できる。
【発明を実施するための最良の形態】
【００６４】
次に、図面に基づいて、この発明を実施するための最良の実施の形態の車両用表示装置について、図１乃至図１１を用いて、説明する。なお、前記従来例と同一乃至均等な部分については、同一符号を付して説明する。
【実施例１】
【００６５】
図１乃至図７は、この発明の最良の実施の形態の実施例１の車両用表示装置２０を示すものである。
【００６６】
まず、全体の構成について説明すると、この実施例１の車両用表示装置２０は、図２に示すように、車両２１の乗員室２２内の前方に位置するインストルメントパネル２３に設けられたコンビネーションメータ２４内に設けられている。
【００６７】
このコンビネーションメータ２４は、左，右に一対のタコメータ部２７及びスピードメータ部２８が配設された文字盤２５を有していて、この文字盤２５の車幅方向略中央には、前記タコメータ部２７及びスピードメータ部２８間に位置して、ディスプレイ部としての液晶表示装置２６が、設けられている。
【００６８】
この液晶表示装置２６は、車両２１上下方向に沿って長手方向を有する縦長の長方形形状を呈し、前記乗員室２２側に露出する表示面部２６ａを有している。
【００６９】
この表示面部２６ａの上部には、車両２１の燃費若しくは二酸化炭素の排出量を、例えば、円形等の環境悪化度合絵図データとしての地球型絵図データで表現して表示する環境影響表示領域２６ｂが、設けられている。
【００７０】
この実施例１の環境影響表示領域２６ｂには、図７に示すように、前記燃費値、若しくは二酸化炭素の排出量に応じて、各地球型絵図（表示データａ〜表示データｅ）を、選択すると共に、選択された地球型絵図の何れか一つを、環境への影響度に応じて、表示するように構成されている。
【００７１】
また、この液晶表示装置２６の下部には、マルチ表示領域２６ｃが設けられていて、図６に示すように、隣接配置されるプッシュノブスイッチ２６ｄの押圧によって、「オドトリップ表示」、「時計表示」、「外気温表示」、平均ＣＯ２排出量値及び瞬間ＣＯ２排出量値を表示する「ＣＯ２排出量表示」、「森林資源減少量表示」と切り換えられて、再び、「オドトリップ表示」が表示されるように構成されている。
【００７２】
次に、図１を用いて、この液晶表示装置２６に接続されて、表示を制御する表示制御部３０の構成について説明する。
【００７３】
この実施例１の表示制御部３０は、ＣＡＮ配線によって、燃料噴射弁５の燃料噴射量データ６が、燃費値を計算する燃費算出部３１に取り込まれるように接続されている。
【００７４】
また、この表示制御部３０には、外気温センサ３２が、接続されていて、外気温センサデータ３３が、入力されるように構成されている。
【００７５】
更に、この表示制御部３０には、イグニッションスイッチ３４が接続されていて、イグニッションＯＮデータ３５が入力するように構成されている。
【００７６】
また、この表示制御部３０には、メモリ等によって構成される地球型絵図記憶部としての地球型絵図記憶部４１が設けられている。
【００７７】
この地球型絵図記憶部４１には、予め設定された燃費値に対応して、前記異なる表示データａ〜ｅが出力されるように、地球型絵図の表示データａ〜ｅが複数、記憶されている。
【００７８】
この実施例１の地球型絵図の表示データａ〜ｅは、図７に示すように、環境への影響度に応じて、前記液晶表示装置２６の環境影響表示領域２６ｂに出力される地球型絵図の表示データａ〜ｅが、良好な燃費若しくは二酸化炭素の排出量値である場合には、円形（例えば、表示データａ、ｂ）で、燃費若しくは二酸化炭素の排出量燃費値が悪化した場合には、一部欠落した円形（例えば、表示ｄ、ｅ）を呈する絵図データが、複数枚記憶されていて、これらの絵図データのうち一枚が、影響の段階に応じて、適宜選択されるように構成されている。
【００７９】
すなわち、この表示制御部３０には、図１に示すように、前記燃費値に応じて、地球型絵図の表示データａ〜ｅを、選択して、選択された地球型絵図の表示データａ〜ｅの何れかを表示出力部３６へ送出する地球型絵図選択部４０が設けられている。
【００８０】
この地球型絵図選択部４０では、図３に示すように、Ｓｔｅｐ１で、燃費若しくは二酸化炭素の排出量の演算が開始されると、Ｓｔｅｐ２では、現在の燃費若しくは二酸化炭素の排出量が取り込まれて、Ｓｔｅｐ３で、先読みロジックが実行される。
【００８１】
この実施例１では、図１に示すように、前記表示制御部３０に、燃費予測部５１を有する燃費先読み部５０が、ＣＯ２排出量算出部５２と共に、設けられている。
【００８２】
このうち、前記燃費予測部５１及び、燃費先読み部５０では、前記表示制御部３０に入力された燃料噴射量データ６に基づいて、図４，図５に示すような先読みロジックを実行するように構成されている。
【００８３】
この先読みロジックでは、Ｓｔｅｐ４で、ｔ時間毎に燃料噴射量が取得されると共に、Ｓｔｅｐ５で、ｎ個分における燃料噴射量の平均化が行われる。
【００８４】
これにより単位時間当たりの燃料噴射量が算出されて、図５に示すように、Ｔ時間後の燃料噴射量が、過去の時刻ｔ１〜ｔｎにおける燃料噴射量の傾向から算出されることより、この先読みロジックで得られたＴ時間後の燃料噴射量と、現在の状態から、環境への影響が良いか悪いかが、判断される。
【００８５】
この実施例１では、良いと判断された場合に表示される地球型絵図の表示データａから、悪いと判断される場合に表示される地球型絵図の表示データｅまでの５段階の絵図データａ〜ｅが、前記Ｓｔｅｐ２で取り込まれた現在の状況との比較により、選択される絵図データが変更される。
【００８６】
すなわち、Ｓｔｅｐ７では、先読みされた燃費が、現在の燃費より良い場合には、Ｓｔｅｐ８へ進み、現状の表示より地球が丸い方向（例えば、表示ｃから表示ｂ又はａ）へ選択する地球型絵図の表示データを変更する。
【００８７】
また、Ｓｔｅｐ７で、先読みされた燃費が、現在の燃費より悪い場合には、Ｓｔｅｐ９へ進み、現状の表示より欠落面積が増大する方向（例えば、表示ｃから表示ｄ又はｅ）へ選択する地球型絵図を変更する。
【００８８】
そして、Ｓｔｅｐ１０では、選択された地球型絵図の表示データａ〜ｅは、図１に示す前記表示出力部３６によって、液晶表示装置２６の環境影響表示領域２６ｂに出力されて、地球環境への影響度に応じた状態として表示されるように構成されている。
【００８９】
また、前記ＣＯ２排出量算出部５２では、前記燃料噴射弁５から前記表示制御部３０に入力された燃料噴射量データ６に基づいて、前記燃費算出部３１で計算された燃費値を、二酸化炭素排出量に変換する。
【００９０】
すなわち、この実施例１のＳｔｅｐ６では、前記表示制御部３０に設けられたＣＯ２排出量算出部５２で、現在の燃料噴射量から、下記数式１が用いられて、ＣＯ２排出量値が、算出される。
【００９１】
【数１】
2009300412.tif 000003
【００９２】
このＣＯ２排出量算出部５２で算出されたＣＯ２排出量値は、前記表示出力部３６へ送出されると共に、この表示制御部３０に設けられた森林資源換算部５３へ送出される。
【００９３】
この森林資源換算部５３では、前記ＣＯ２排出量算出部５２で、変換されたＣＯ２排出量値を、相当する森林資源の減少量として換算するように構成されている。
【００９４】
この実施例１では、森林資源の減少量は、森林量：ＣＯ２排出量（ｋｇ）×０．３０５ｍ＾２／ｋｇ、として換算される。
【００９５】
この森林資源換算部５３によって、換算された森林資源の減少量は、前記表示出力部３６を介して、図１に示される前記液晶表示装置２６のマルチ表示領域２６ｃに出力表示されるように構成されている。
【００９６】
更に、この実施例１では、前記ＣＯ２排出量算出部５２で、下記数式２が用いられて、車両２１から排出されるＣＯ２排出量の平均値を示す平均ＣＯ２量値が算出される様に構成されている。
【００９７】
【数２】
2009300412.tif 000004
【００９８】
また、この実施例１では、前記ＣＯ２排出量算出部５２で、下記数式３が用いられて、車両２１から排出されるＣＯ２排出量の瞬間値を示す瞬間ＣＯ２量値が算出されるように構成されている。
【００９９】
【数３】
2009300412.tif 000005
【０１００】
これらの平均ＣＯ２量値及び瞬間ＣＯ２量値は、前記ＣＯ２排出量算出部５２から、前記表示出力部３６を介して、前記液晶表示装置２６のマルチ表示領域２６ｃに出力表示されるように構成されている。
【０１０１】
この実施例１のマルチ表示領域２６ｃは、図６中の表示例に示すように、隣接配置された前記プッシュノブスイッチ２６ｄを押圧する度に、「オドトリップ表示」、「時計表示」、前記外気温センサ３２から取り入れられた外気温データを表示する「外気温表示」、前記平均ＣＯ２量値を表示する「平均ＣＯ２排出量表示」、前記瞬間ＣＯ２量値を表示する「瞬間ＣＯ２排出量表示」及び、前記平均ＣＯ２排出量から算出された森林資源相当量を表示する「森林資源相当量表示」を順次表示すると共に、再び、「オドトリップ表示」が表示されるように構成されている。
【０１０２】
次に、この実施の形態の実施例１の車両用表示装置２０の作用効果に付いて説明する。
【０１０３】
この実施例１では、前記車両２１のイグニッションスイッチ３４から、イグニッションＯＮデータ３５が、前記車両用表示装置２０の表示制御部３０に出力されると、前記液晶表示装置２６が起動して、表示制御部３０によって、表示されるデータの出力制御が開始される。
【０１０４】
エンジンの始動により、ＣＡＮを介して、燃料噴射量データ６が、燃料噴射弁５から前記表示制御部３０に送られると、この表示制御部３０の燃費算出部３１では、この燃料噴射データ及び図示省略の走行距離データ等から、燃費が計算される。
【０１０５】
そして、図３に示すように、この燃費値から換算される二酸化炭素の排出量が、環境へ与える影響度に応じて、前記地球型絵図記憶部４１内から前記地球型絵図選択部４０によって、何れかの地球型絵図の表示データａ〜ｅが、前記Ｓｔｅｐ７で選択される。
【０１０６】
すなわち、この実施例１では、前記表示制御部３０の表示出力部３６から、選択された地球型絵図の表示データａ〜ｅが、環境への影響度が、現状より良くなるか、或いは悪くなるかの判断に応じて、選択され、前記液晶表示装置２６の環境影響表示領域２６ｂに出力されて、表示される。
【０１０７】
例えば、環境への影響が大きい場合の地球型絵図の表示ｄ，ｅ等と、小さい場合の地球型絵図の表示データａ，ｂ等とが段階的に分けられて表示されて、Ｓｔｅｐ１０で運転状況に応じて、将来の地球の状態がどのようになるかが示唆される。
【０１０８】
このため、乗員は、環境影響表示領域２６ｂに表示された地球型絵図の表示データａ〜ｅの変化を見るだけで、運転の善し悪しを瞬読出来、地球環境への負荷度合いが、容易に認識できる。
【０１０９】
しかも、この実施例１では、Ｓｔｅｐ８及びＳｔｅｐ９で、平均燃費に比して、Ｔ時間後の瞬間燃費が、良いか悪いか、すなわち、Ｔ時間後の環境に影響を与えるＣＯ２排出量が多いか少ないかを、判断基準として、表示データａ〜ｅを変化させている。
【０１１０】
従って、今後の運転状態の良悪の指標として、環境影響表示領域２６ｂに出力される地球型絵図の表示データａ〜ｅが、Ｔ時間後（例えば、１秒後）変化することにより、ＣＯ２を実際に多く排出する前に、運転操作を環境に配慮したものとなるように最適化できる。
【０１１１】
しかも、環境への貢献度が瞬読出来る環境影響表示領域２６ｂが、前記燃費値等を表示する為のマルチ表示領域２６ｃを有する縦型の液晶表示装置２６の上部の一部に設定されている。
このため、別途、表示デバイスを設ける必要が無く、部品点数の増大を抑制出来る。
【０１１２】
更に、この実施例１では、図１に示すように、前記コンビネーションメータ２４のうち、左，右に一対配設されたタコメータ部２７及びスピードメータ部２８間に、車両２１上下方向に沿って長手方向を有する縦長の長方形形状を呈した液晶表示装置２６が配設されていると共に、この縦型の液晶表示装置２６の上部と下部とに、前記環境影響表示領域２６ｂと、前記マルチ表示領域２６ｃを分散させて配置している。
【０１１３】
このため、左，右のタコメータ部２７及びスピードメータ部２８の外縁部形状と、これらの環境影響表示領域２６ｂ及び、マルチ表示領域２６ｃとが重複しにくく、例えば、液晶表示装置２６の上下方向の略中央部を一部、これらの外縁部と近接若しくは重ねても、これらの環境影響表示領域２６ｂ及び、マルチ表示領域２６ｃの視認性が損なわれること無く、文字盤２５の表示スペース効率が良好である。
【０１１４】
また、この実施例１では、前記プッシュノブスイッチ２６ｄの押圧で、「オドトリップ表示」等の表示切り換えが行われるマルチ表示領域２６ｃに、図６に示すように、「平均ＣＯ２排出量表示」及び「瞬間ＣＯ２排出量表示」を表示させることができる。
【０１１５】
このため、「平均ＣＯ２排出量値」及び「瞬間ＣＯ２排出量値」を数値で瞬読したい場合の利便性が良好であると共に、乗員に環境への貢献度を認識させるために、液晶表示装置を、別途設ける必要が無い。
【０１１６】
しかも、従来のタコメータのように、別のアナログ指針等の表示装置を切換えて用いる必要も無い。
【０１１７】
従って、この実施例１では、コンビネーションメータ２４内の表示計器の増大が抑制されて、前記文字盤２５の配置レイアウトの自由度を向上させることができる。
【０１１８】
また、切換えが不要であるので、他の表示機能、すなわち、タコメータによるエンジン回転数の表示や、或いはスピードメータによる車速の表示を同時に行って視認させることが出来、従来のように、何れか一方の機能のみしか用いることができないものに比して、使用利便性が良好である。
【０１１９】
更に、図１に示されるように、前記地球型絵図記憶部４１に、複数記憶された地球型絵図の表示データａ〜ｅが、前記表示制御部３０に設けられた地球型絵図選択部４０により、前記燃費算出部３１で計算された燃費値に基づいて選択されて、前記表示出力部３６から、前記液晶表示装置２６へ出力される。
【０１２０】
前記液晶表示装置２６の環境影響表示領域２６ｂでは、環境への負荷や貢献度に応じた複数の異なる種類の地球型絵図の表示データａ〜ｅのうち、運転状況によって対応する地球型絵図が、一つ選択されて、表示される。
【０１２１】
この実施例１の地球型絵図の表示データａ〜ｅでは、基本は円形の地球型絵図の表示データａから、一部形状が欠落した地球型絵図の表示データｂ〜ｅでは、欠落割合が、徐々に大きくなるように、異なる大きさに設定されている。
【０１２２】
このため、従来のようなデジタル表示による数字表示に比して、環境への貢献度を直感的に把握しやすく、また、アナログ表示部によるアナログ指針で示された目盛り表示に比して、瞬読性に優れている。
【０１２３】
また、この実施例１では、燃費算出部３１で計算された燃費値は、前記液晶表示装置２６のマルチ表示領域２６ｃに出力される燃費表示に用いる前記「平均ＣＯ２排出量値」及び「瞬間ＣＯ２排出量値」を演算する際に用いる燃費値データと、共用できる。
【０１２４】
このため、別途、燃費値を計算する演算回路や、燃費検出センサ等を設ける必要が無く、更に、構成を簡略なものとすることができる。
【０１２５】
更に、前記表示制御部３０に入力された燃料噴射量データに基づいて、前記燃費算出部３１で計算された燃費値が、前記ＣＯ２排出量算出部５２で、前記数式１が用いられて、二酸化炭素排出量に変換されて、ＣＯ２排出量値が、得られる。
【０１２６】
そして、この燃費データから演算されたＣＯ２排出量値に基づいて、前記液晶表示装置２６の環境影響表示領域２６ｂに対して、前記地球型絵図記憶部４１の対応する地球型絵図の表示データａ〜ｅが出力されて表示される。
【０１２７】
このため、この実施例１では、別途、ＣＯ２の排出量を検出するＣＯ２センサや、排出量を検出するエアフロセンサ等の二酸化炭素を実測する機器を設ける必要が無い。
【０１２８】
従って、例えば、従来から燃費計算に用いられている燃料噴射弁５から得られる燃料噴射量データを用いて、ＣＯ２センサ等の部品点数を減少させて、製造コストの増大を抑制出来る。
【０１２９】
また、前記表示制御部３０に設けられた森林資源換算部５３が、前記ＣＯ２排出量算出部５２で、変換されたＣＯ２排出量値を、相当する森林資源の減少量として換算する。
【０１３０】
換算された森林資源の減少量は、前記表示出力部３６を介して、マルチ表示領域２６ｃに、面積を単位とする森林資源相当量として、例えば、○○平方メートルと表示される。
【０１３１】
このため、乗員は、運転状況に対応する森林資源の減少量を、森林面積ととして一目で把握できる。
【０１３２】
この実施例１のように、森林の面積に相当する表示が行われる方が、例えば、二酸化炭素排出体積量が、数値で表示される場合に比して、現実的に乗員が捉えやすい。
【０１３３】
よって、更に、乗員は、ＣＯ２排出量の増大を抑制する運転を心がける等、効果的に車両の運転を最適化させることが出来る。
【０１３４】
また、この実施例１では、前記表示制御部３０に設けられた燃費先読み部５０によって、前記燃費算出部３１で計算された燃費値に基づいて、燃費が先読みされる。
【０１３５】
このため、先読みされた燃費を、前記ＣＯ２排出量算出部５２で換算するだけで、現在の運転状況から、数秒後のＣＯ２排出量が、容易に予測出来るため、更に、実際に二酸化炭素を大量に排出する前に、ＣＯ２排出量の増大を抑制する運転を心がける等、効果的に車両の運転を最適化させることが出来る。
【実施例２】
【０１３６】
図８は、この発明の実施の形態の実施例２の車両用表示装置に用いられる地球型絵図の表示データｆ〜ｊの一例を示すものである。
【０１３７】
なお、前記実施の形態及び実施例１と同一乃至均等な部分については、同一符号を付して説明する。
【０１３８】
この実施例２の地球型絵図の表示データｆ〜ｊでは、前記実施例１と略同様に構成されるメモリ等からなる前記地球型絵図記憶部４１内に、予め設定されたＣＯ２排出量に対応して前記地球型絵図の表示データｆ〜ｊを、前記環境影響表示領域２６ｂに表示する為の地球型絵図の表示データｆ〜ｊが記憶されている。
【０１３９】
これらの地球型絵図の表示データｆ〜ｊは、良好な燃費若しくは二酸化炭素の排出量値である場合には、安全色である明るく青色系の色彩（例えば表示ｆ、ｇ）で、地球型図形を表示すると共に、燃費若しくは二酸化炭素の排出量燃費値が悪化した場合には、警告色である暗く、赤色系の色彩（例えば、表示ｉ、ｊ）を呈する絵図データが、環境への影響の段階に応じて、前記地球型絵図選択部４０で、適宜選択されるように構成されている。
【０１４０】
他の構成及び作用効果については、前記実施の形態及び実施例１と同一乃至均等であるので、説明を省略する。
【実施例３】
【０１４１】
図９は、この発明の実施の形態の実施例３の車両用表示装置１２０を示すものである。
【０１４２】
なお、前記実施の形態及び実施例１及び２と同一乃至均等な部分については、同一符号を付して説明する。
【０１４３】
まず、この実施例３の車両用表示装置１２０の構成を、前記実施例１の車両用表示装置２０の構成との相違点を中心に説明する。
【０１４４】
この実施例３の車両用表示装置１２０では、表示制御部１３０の燃費算出部３１によって算出された燃費データが、前記表示出力部３６及び燃費予測部１５１に送出されるように構成されている。
【０１４５】
この燃費予測部１５１では、前記数式２を演算する平均燃費判断部１５２と、瞬間燃費の変化量から燃費が急上昇していることを判断する燃費急上昇判断部１５３とが設けられていて、平均燃費近傍で、燃費が推移している場合には、前記地球型絵図として、円形に近い地球型絵図、例えば、表示データａが、良好な燃費若しくは二酸化炭素の排出量値であると判断されて、前記地球型絵図選択部４０によって、前記表示出力部３６から、前記液晶表示装置２６の環境影響表示領域２６ｂへ出力される。
【０１４６】
また、平均燃費に比して、燃費が急上昇している場合には、燃費若しくは二酸化炭素の排出量値が悪化していると、前記地球型絵図選択部４０によって、判断されて、一部欠落した円形を呈する絵図データ、例えば、表示データｂ又は、表示データｃ〜ｅが、前記表示出力部３６から、前記液晶表示装置２６の環境影響表示領域２６ｂへ出力される。
【０１４７】
このため、燃費若しくは二酸化炭素の排出が、地球に与える影響を前記液晶表示装置２６の環境影響表示領域２６ｂに、表示される地球型絵図の表示データａ〜ｅの形状の変化から、直感的に認識出来て、乗員に、運転の最適化を促すことができる。
【０１４８】
他の構成及び作用効果については、前記実施の形態及び実施例１，２と同一乃至均等であるので、説明を省略する。
【実施例４】
【０１４９】
図１０及び図１１は、この発明の実施の形態の実施例４の車両用表示装置２２０を示すものである。
【０１５０】
なお、前記実施の形態及び実施例１乃至３と同一乃至均等な部分については、同一符号を付して説明する。
【０１５１】
まず、この実施例４の車両用表示装置２２０の構成を、前記実施例１の車両用表示装置２０の構成との相違点を中心に説明する。
【０１５２】
この実施例４の車両用表示装置２２０では、図１０に示すように、車両のエンジン２００から延設される排気管部２０４のうち、エグゾーストパイプ２０１と、マフラー２０２に接続される触媒２０３との間に、排気ガスの風量を、検出可能なエアフロセンサ２０５と、排気ガス中の二酸化炭素濃度を検出可能なＣＯ２センサ２０６とが設けられている。
【０１５３】
また、表示制御部２３０には、ＣＯ２排出量算出部２５０が設けられていて、前記エアフロセンサ２０５で検出された風量データ２０７及び前記ＣＯ２センサ２０６で検出されたＣＯ２濃度データ２０８が、このＣＯ２排出量算出部２５０に入力するように接続されている。
【０１５４】
このＣＯ２排出量算出部２５０では、ＣＯ２排出量が、ＣＯ２排出量＝ＣＯ２濃度データ×風量データの演算が行われることにより求められる。
【０１５５】
更に、この表示制御部２３０には、平均ＣＯ２排出量予測部２５１と、瞬間ＣＯ２排出量演算部２５２とが設けられていて、前記ＣＯ２排出量算出部２５０で算出されたＣＯ２排出量値データが、各々入力されるように構成されている。
【０１５６】
このうち、この実施例４の平均ＣＯ２排出量予測部２５１では、３０秒間に得られたＣＯ２排出量値データの平均値が演算される。
【０１５７】
また、この実施例４の前記表示制御部２３０に設けられた瞬間ＣＯ２排出量演算部２５２によって、前記ＣＯ２排出量算出部２５０で算出された二酸化炭素排出量に基づいた瞬間二酸化炭素排出量値が予測演算される。
【０１５８】
前記地球型絵図選択部４０では、この瞬間二酸化炭素排出量値を、前記平均ＣＯ２排出量予測部２５１から送られてくるＣＯ２排出量値データの平均値と比較されて、前記地球型絵図記憶部４１内から、対応する地球型絵図の表示データａ〜ｅ若しくは、表示データｆ〜ｊの何れか一つが選択される。
【０１５９】
このように、車両の運転を最適化させる為に必要となる瞬間二酸化炭素排出量に基づいて、前記地球型絵図記憶部４１内の地球型絵図の表示データａ〜ｅ等が、前記地球型絵図選択部４０によって選択されて、前記液晶表示装置２６の環境影響表示領域に表示される。
【０１６０】
したがって、乗員は、加速時等、瞬間的な二酸化炭素排出量の増大を抑制するように、心がけた運転を容易に行えて、運転の最適化を図れる。
【実施例５】
【０１６１】
本実施例では、実施例１〜実施例４との共通部分の説明を省略し、実施例１〜実施例４と異なる部分を中心に説明する。
【０１６２】
ところで、実施例１〜実施例４に係る地球型絵図選択部４０では、地球の「満ち欠け」画像を複数枚、具体的には、例えば図１に示すように、地球型絵図の表示データａ〜ｅの５枚の画像データを予め用意して、これらの画像データを随時選択して表示出力部３６に出力することにより地球の「満ち欠け」画像を表示していた。
【０１６３】
しかしながら、実施例１〜実施例４の構成では、少なくとも５枚の画像データが必要となるが、地球画像の変化の様子を滑らかに表現しようとすると、画像の枚数を増やす必要があるので、それに伴って、画像データのための占有メモリ量が増大し、製造コストが増大する可能性がある。
【０１６４】
本実施例に係る地球型絵図表示部は、上記問題点を鑑みて構成されたものである。次に、この地球型絵図表示部を説明する。
【０１６５】
図１６において、符号４０´は、実施例１〜実施例４に係る地球型絵図選択部４０に対応する本実施例の地球型絵図表示部である。
【０１６６】
本実施例の車両用表示装置では、ＤＢ４１に、図１６に示す地球画像ＰＥと黒丸画像ＰＣとの２つの画像データを予め記憶し、表示制御部３０に基づいて、燃費算出部３１からの燃費値又は二酸化炭素排出量算出部５２からの二酸化炭素の排出量に応じて、地球画像ＰＥと黒丸画像ＰＣとを、これらの重ね合わせ量を変えて表示させることにより、図１７および図１８の表示ｋ〜ｐに示すように、地球の「食」画像を表現し、黒丸画像ＰＣによって覆い隠されない地球画像ＰＥの領域の広さによって、燃費値又は二酸化炭素の排出量のランクを表示する。
【０１６７】
地球画像ＰＥおよび黒丸画像ＰＣは、どちらも全体としては正方形画像となっており、地球画像ＰＥでは、地球の画像がこの正方形画像領域の中央にほぼ内接しており、黒丸画像ＰＣでは、黒丸の画像がこの正方形画像領域の中央にほぼ内接している。
【０１６８】
地球画像ＰＥの地球の背景画像は黒色であり、黒丸画像ＰＣの黒丸の背景画像は透明となっているので、地球画像ＰＥに黒丸画像ＰＣを重ねて表示させると、地球画像ＰＥが黒丸画像ＰＣの黒丸の部分によってマスキングされた画像が表示される。
【０１６９】
なお、本実施例では、地球画像ＰＥおよび黒丸画像ＰＣのサイズは、いずれもドット単位でＳドット×Ｓドットである。
【０１７０】
本実施例では、図１７または図１８に示すように、液晶表示装置２６の環境影響表示領域２６ｂに、この領域の左上端を原点とし、右方にｘ軸、下方にｙ軸とするｘ−ｙ座標系が設定されている。
【０１７１】
環境影響表示領域２６ｂ上における地球画像ＰＥまたは黒丸画像ＰＣの表示位置は、これらの画像の左上端のドット位置をそれぞれ座標値（ｘ，ｙ）により指定することにより設定される。
【０１７２】
本実施例では、図１７および図１８の図（ａ）〜図（ｆ）に示すように、黒丸画像ＰＣをＭ倍（Ｍは最大拡大率，Ｍ＞１）に拡大して地球画像ＰＥの右端側中央位置に外接させた状態から、徐々に縮小させつつ地球画像ＰＥと重なる方向に移動させ、丁度、黒丸画像ＰＣの画像の拡大率ｍがｍ＝１になったときに、黒丸画像ＰＣと地球画像ＰＥとが完全に重なるように地球型絵図表示部４０´を構成している。
【０１７３】
次に、その構成を具体的に説明する。
【０１７４】
図１６に示すように、地球型絵図表示部４０´は、表示状態決定部４０ａと、画像サイズ算出部４０ｂと、画像サイズ変換部４０ｃと、表示座標算出部４０ｄと、画像処理部４０ｅとによって構成されている。
【０１７５】
表示状態決定部４０ａは、前段（例えば、実施例１では、燃費先読み部５０、ＣＯ２排出量算出部５２）の処理によって得られた出力値のデータに基づいて、図３に示すＳｔｅｐ７〜Ｓｔｅｐ９の処理と同様の処理を実行する。
【０１７６】
すなわち、表示状態決定部４０ａでは、ＣＯ２排出量が多い場合には、現状の表示より地球が欠けの状態が大きくなるように、地球の「食」画像の表示状態を示す表示状態変数ｎの値を増大させ、ＣＯ２排出量が少ない場合には現状の表示より地球の欠けの状態が小さくなるように表示状態変数ｎの値を減少させる。
【０１７７】
表示状態変数ｎには、図１７および図１８の表示ｋ，ｌ，ｍ，ｎ，ｏ，ｐに対して、それぞれｎ＝０，１，２，３，４，５の値が対応している。なお、表示状態変数ｎは、一般に０≦ｎ≦Ｎの整数値をとる。
【０１７８】
整数値Ｎは、黒丸画像ＰＣを段階的に移動させる際の総ステップ数となっており、２≦Ｎ≦Ｓ（画像サイズのドット数）の範囲では、Ｎの値を大きくすればするほど黒丸画像ＰＣの１ステップ当たりの移動量が小さくなり、地球の「食」の変化が一層滑らかに表わされる。
【０１７９】
画像サイズ算出部４０ｂは、総ステップ数Ｎと最大拡大率Ｍと表示状態変数ｎとから、黒丸画像ＰＣを拡大または縮小させる際の画像拡大率ｍを表示状態変数ｎに対応して算出する。
【０１８０】
画像サイズ変換部４０ｃは、画像拡大率ｍに応じて、黒丸画像ＰＣをｍ倍した拡大画像ＰＣ´の画像データを生成し、ＤＢ４１に格納する。
【０１８１】
表示座標算出部４０ｄは、画像サイズ値Ｓと最大拡大率Ｍとに基づき、黒丸画像ＰＣのｙ方向の最大シフト量ｙ０と、黒丸画像ＰＣの表示座標（ｘＣ，ｙＣ）とを算出する。
【０１８２】
画像処理部４０ｅは、拡大画像ＰＣ´の表示位置を表示座標（ｘＣ，ｙＣ）に設定して、さらに地球画像ＰＥを環境影響表示領域２６ｂの座標原点（０，０）に表示させ、拡大画像ＰＣ´を表示座標（ｘＣ，ｙＣ）に重ねて表示させた合成画像データを生成し、表示出力部３６に出力する。
【０１８３】
次に、図３に示すＳｔｅｐ１０における処理の内部処理を図１９に示すフローチャート図を参照しつつ説明する。
【０１８４】
Ｓｔｅｐ１１では、表示状態決定部４０ａにおいて、予めＤＢ４１に格納された地球画像ＰＥおよび黒丸画像ＰＣの画像サイズ値Ｓと、黒丸画像ＰＣの最大拡大率Ｍと、総ステップ数Ｎと、上述のＳｔｅｐ７〜Ｓｔｅｐ９と同様の処理において決定された表示状態変数ｎとを取得し、次の処理に進む。
【０１８５】
Ｓｔｅｐ１２では、画像サイズ算出部４０ｂにおいて、総ステップ数Ｎと最大拡大率Ｍと表示状態変数ｎとから、黒丸画像ＰＣの拡大率ｍを次式によって算出する。
【０１８６】
具体的には、数式
【０１８７】
【数４】
2009300412.tif 000006
【０１８８】
によって、表示状態変数ｎに対応する画像拡大率ｍを算出し、次の処理に進む。
【０１８９】
Ｓｔｅｐ１３では、画像データ変換部４０ｃにおいて、画像拡大率ｍに応じて、黒丸画像ＰＣをｍ倍のサイズに拡大した拡大画像ＰＣ´を生成し、ＤＢ４１に格納し、次の処理に進む。
【０１９０】
Ｓｔｅｐ１４では、表示座標算出部４０ｄにおいて、画像サイズ値Ｓと最大拡大率Ｍとに基づき、数式
【０１９１】
【数５】
2009300412.tif 000007
【０１９２】
によって、黒丸画像ＰＣの最大シフト量ｙ０を算出し、さらに、数式
【０１９３】
【数６】
2009300412.tif 000008
【０１９４】
【数７】
2009300412.tif 000009
【０１９５】
によって、黒丸画像ＰＣの表示座標（ｘＣ，ｙＣ）を算出し、次の処理に進む。
【０１９６】
Ｓｔｅｐ１５では、画像処理部４０ｅにおいて、拡大画像ＰＣ´の位置を表示座標（ｘＣ，ｙＣ）に設定し、次の処理に進む。
【０１９７】
Ｓｔｅｐ１６では、画像処理部４０ｅにおいて、地球画像ＰＥを環境影響表示領域２６ｂの座標原点（０，０）に表示させ、拡大画像ＰＣ´を表示座標（ｘＣ，ｙＣ）に重ねて表示させた合成画像データを生成し、表示出力部３６に出力して、Ｓｔｅｐ１０の処理を終了する。
【０１９８】
そして、表示出力部３６では、上記の合成画像データに基づく画像を環境影響表示領域２６ｂに表示させる。
【０１９９】
なお、本実施例では、Ｓｔｅｐ１０の処理を行うプログラムのデータサイズが、１枚分の画像データのデータサイズに比べて小さくなっている。
【０２００】
数式（１），（３），（４）によれば、表示状態変数ｎが０からＮに上昇するにつれて、黒丸画像ＰＣの画像拡大率ｍは図２０（ａ）に示すようにＭから１まで直線的に減少し、黒丸画像ＰＣの表示座標のｘ座標ｘＣは図２０（ｂ）に示すようにＳから０まで直線的に減少し、黒丸画像ＰＣの表示座標のｙ座標ｙＣは図２０（ｃ）に示すように−ｙ０（ｙ０＞０）から０まで直線的に増大する。
【０２０１】
図１７および図１８に示すように、Ｓｔｅｐ１１〜Ｓｔｅｐ１６の処理によって、表示状態変数ｎの値をｎ＝０から徐々にｎ＝１，２，３，４，５と増加させると、地球の画像が右側から徐々に欠けて、それぞれ表示ｋから表示ｐまで地球の「食」のような画像が表示される。
【０２０２】
なお、図１７および図１８において実際に表示される画像は、座標値にして、０≦ｘ≦Ｓ，０≦ｙ≦Ｓの環境影響表示領域２６ｂの部分だけであり、この領域の外側には拡大画像ＰＣ´は表示されない。
【０２０３】
次に、本実施例に係る発明の効果を説明する。
【０２０４】
上述したように、本実施例では、黒丸画像ＰＣをＭ倍に拡大して地球画像ＰＥの右端側中央位置に外接させた状態から、徐々に縮小させつつ地球画像ＰＥと重なる方向に移動させ、丁度、黒丸画像ＰＣの画像の拡大率ｍが１になったときに、黒丸画像ＰＣと地球画像ＰＥとが完全に重なるように構成している。
【０２０５】
このため、黒丸画像ＰＣの黒丸画像部分が地球画像ＰＥの地球画像部分に右側から徐々に重なり始める際には、黒丸画像部分の曲率は地球画像部分の曲率より大きくなっており、地球画像の欠け始めにおいて、地球画像が滑らかに欠けて行くので見映えがよい。
【０２０６】
また、総ステップ数Ｎを大きく設定することにより、地球の「食」の変化の様子を滑らかに表現することができ、特に総ステップ数Ｎを画像サイズ値Ｓに設定すれば、黒丸画像ＰＣを１ドット単位で移動させることができるので、一層滑らかに地球の「食」の変化の様子を表現することができる。
【０２０７】
なお、黒丸画像ＰＣの拡大時の解像度を地球画像ＰＥの解像度に一致させれば、拡大時にジャギーが表れにくく見映えがよい。
【０２０８】
さらに、本実施例に係る地球型絵図表示部４０´の地球の「食」表示では、実施例１〜実施例４に係る地球型絵図選択部４０の地球の「満ち欠け」表示に比べて画像データが４枚分少なく、しかも黒丸画像ＰＣの画像データＤＣは、データの保存形式によっては地球画像ＰＥの画像データＤＥよりも小さくできるので、本実施例では画像データを削減できる。
【０２０９】
また、地球型絵図表示部４０´において、Ｓｔｅｐ１０の処理を行うプログラムが地球型絵図選択部４０において画像選択の処理を行うプログラムに比べて多少データサイズが大きくなっても、本実施例では、Ｓｔｅｐ１０の処理を行うプログラムのデータサイズが１枚分の画像データのデータサイズに比べて小さくなっているので、プログラムのデータサイズを含めても総データ量が削減でき、これによりメモリの使用領域が節約できて、結果として装置の製造コストの増大を抑制できる。
【０２１０】
なお、本実施例では、第１の環境悪化度合絵図を地球画像ＰＥとし、第２の環境悪化度合絵図を黒丸画像ＰＣとして、地球の「食」のような画像により燃費値又は二酸化炭素の排出量のランクを表示したが、第２の環境悪化度合絵図によって覆い隠されない第１の環境悪化度合絵図の領域の広さによって、燃費値又は二酸化炭素の排出量のランクが表示されれば、第１の環境悪化度合絵図と第２の環境悪化度合絵図とは、どのような画像であってもよい。
【０２１１】
例えば、第１の環境悪化度合絵図を生い茂った森林の画像とし、第２の環境悪化度合絵図を枯れた森林の画像などにしてもよい。
【０２１２】
また、第１の環境悪化度合絵図を宇宙から見た地球の画像とし、第２の環境悪化度合絵図を三日月型の黒色マスク画像として、実施例１〜実施例４と同様の地球の「満ち欠け」のような画像を表示させてもよい。
【０２１３】
以上、図面を参照して、本発明の実施の形態及び実施例１乃至４を詳述してきたが、具体的な構成は、この実施の形態に限らず、本発明の要旨を逸脱しない程度の設計的変更は、本発明に含まれる。
【０２１４】
即ち、前記実施の形態及び実施例１では、前記燃費先読み部５０及び燃費予測部５１を設けたものを示して説明してきたが、特にこれに限らず、例えば、前記表示制御部３０に入力された燃料噴射量データに基づいて、前記燃費算出部３１で計算された燃費値を、二酸化炭素排出量に変換するＣＯ２排出量算出部５２に、直接、送出して、瞬間ＣＯ２排出量に応じて、各地球型絵図（表示データａ〜表示データｅ）が、選択されて、環境への影響度に応じて、表示するように構成されていてもよい。
【０２１５】
また、地球型絵図の表示データａ〜ｅ若しくは、表示データｆ〜ｊの図柄についても、特に限定されるものではなく、ＣＯ２排出量の増大又は燃費の悪化に伴って、視覚的に地球環境が悪化することを訴えかけるものであれば、宇宙から見た地球の画像、氷山の画像、森林の画像、氷河の画像等の気温上昇によって、まともに影響される環境要素を画像化したもの等、どのような形状、数量及び色彩であってもよいことは当然であり、これらの組み合わせが、特に限定されるものではない。
【０２１６】
また、この実施の形態の実施例１乃至４では、ディスプレイ部として、液晶表示装置２６が用いられているが、特にこれに限らず、例えば、有機ＥＬ表示装置や、電界放出ディスプレイ（ＦＥＤ：Ｆｉｅｌｄ  Ｅｍｉｓｓｉｏｎ  Ｄｉｓｐｌａｙ）装置等、表示出力部の出力制御によって、地球型絵図を変化させることができるものであるならば、どのような表示装置であってもよい。
【図面の簡単な説明】
【０２１７】
【図１】この発明の最良の実施の形態の実施例１の車両用表示装置で、システム全体の構成を説明するブロック図である。
【図２】実施の形態の実施例１の車両用表示装置が適用された車両の室内の様子を示す模式的な斜視図である。
【図３】実施の形態の実施例１の車両用表示装置で、主な画像表示出力制御を説明するフローチャート図である。
【図４】実施の形態の実施例１の車両用表示装置で、先読みロジックのサブルーチンを説明するフローチャート図である。
【図５】実施の形態の実施例１の車両用表示装置で、先読みロジックを説明する概念的なタイミングチャート図である。
【図６】実施の形態の実施例１の車両用表示装置で、マルチ表示領域の表示例を説明する遷移図である。
【図７】実施の形態の実施例１の車両用表示装置で、環境影響表示領域に表示される地球型絵図例を説明する遷移図である。
【図８】実施の形態の実施例２の車両用表示装置で、環境影響表示領域に表示される地球型絵図例を説明する遷移図である。
【図９】この発明の最良の実施の形態の実施例３の車両用表示装置で、システム全体の構成を説明するブロック図である。
【図１０】この発明の最良の実施の形態の実施例４の車両用表示装置で、エンジン及び排気管部に設けられたＣＯ２センサ及びエアフロセンサの位置関係を説明する模式的な斜視図である。
【図１１】この発明の最良の実施の形態の実施例４の車両用表示装置で、システム全体の構成を説明するブロック図である。
【図１２】従来例の車両用燃費表示装置で、システム全体の構成を説明するブロック図である。
【図１３】一従来例の車両用燃費表示装置で、アナログメータ表示装置の正面図である。
【図１４】他の従来例の車両用燃費表示装置で、アナログメータ表示装置の正面図である。
【図１５】その他の従来例の車両用燃費表示装置で、デジタル表示された燃費表示の一例を示す正面図である。
【図１６】実施例５に係る地球型絵図表示部、ＤＢ、およびＤＢに格納される地球画像と黒丸画像との画像データの構成を示す概略構成図である。
【図１７】図１７および図１８は、地球の「食」画像の表示状態を示しており、図の（ａ）〜（ｆ）は、この順に地球が「食」により、順次右側から欠けていく状態を示している。
【図１８】図１７および図１８は、地球の「食」画像の表示状態を示しており、図の（ａ）〜（ｆ）は、この順に地球が「食」により、順次右側から欠けていく状態を示している。
【図１９】図３に示すＳｔｅｐ１０における処理の内部処理を示すフローチャート図である。
【図２０】図の（ａ）〜（ｃ）は、それぞれ数式（１），（３），（４）のグラフを示している。
【符号の説明】
【０２１８】
２０，１２０，２２０        車両用表示装置
１                          車両
２                          液晶表示装置（ディスプレイ部）
２６ｂ                      環境影響表示領域
２６ｃ                      マルチ表示領域
３０，１３０，２３０        表示制御部
３                          燃費算出部
４                          表示出力部
５                          地球型絵図選択部
６                          地球型絵図記憶部
５１，１５１                燃費予測部
７                          ＣＯ２排出量算出部
８                          森林資源換算部
１５２                      平均燃費判断部
１５３                      燃費急上昇判断部
２０５                      エアフロセンサ
２０６                      ＣＯ２センサ
２５２                      瞬間ＣＯ２排出量演算部
ａ〜ｅ，ｆ〜ｊ              地球型絵図データ（環境悪化度合絵図データ）
ＰＥ                        地球画像（環境悪化度合絵図）
ＰＣ，ＰＣ´                黒丸画像（環境悪化度合絵図隠し図）
【図４】
2009300412.tif 000010
【図５】
2009300412.tif 000011
【図６】
2009300412.tif 000012
【図１０】
2009300412.tif 000013
【図１２】
2009300412.tif 000014
【図１３】
2009300412.tif 000015
【図１４】
2009300412.tif 000016
【図１５】
2009300412.tif 000017
【図１９】
2009300412.tif 000018
【図２０】
2009300412.tif 000019
【図１】
2009300412.tif 000020
【図２】
2009300412.tif 000021
【図３】
2009300412.tif 000022
【図７】
2009300412.tif 000023
【図８】
2009300412.tif 000024
【図９】
2009300412.tif 000025
【図１１】
2009300412.tif 000026
【図１６】
2009300412.tif 000027
【図１７】
2009300412.tif 000028
【図１８】
2009300412.tif 000029